(57)【要約】【課題】防水靴の防水性を向上させかつ防水靴の安価な製造を可能にする通気性防水靴の製造方法を提供すること。【解決手段】通気性防水靴の製造方法は型を調製する工程を含む。次に、この型をゴム物質に浸漬し、これによりゴム物質を型の表面に密着させることができる。次に、型の表面に密着しているゴム物質を乾燥し、これによりこのゴム物質を型の表面上で薄くかつ一体成形された靴本体へと成形する。次に、内層をこの靴本体と合体する。次に、この内層及び靴本体を裏返し、同時に型から剥がす。最後にソールを靴本体の底と合体する。それゆえ、当該靴は通気性効果及び防水効果をもたらすことができる。【選択図】図１
2014136160.tif 000002
【特許請求の範囲】
【請求項１】
型を調製する工程と、
上記型をゴム物質に浸漬し、上記ゴム物質を上記型の表面に密着させる工程と、
上記ゴム物質を乾燥し上記型の表面上で薄くかつ一体成形された靴本体へと成形する、上記型の表面上で上記ゴム物質を乾燥する工程と、
内層を上記靴本体と合体する工程と、
上記内層及び上記靴本体を裏返し、同時に上記内層及び上記靴本体を上記型から剥がす工程と、
ソールを上記靴本体の底と合体する工程と
を含む通気性防水靴の製造方法。
【請求項２】
上記型を調製する工程において、上記型はその表面上に模様を有し、
上記ゴム物質を乾燥する工程において、上記型の上記模様に一致する複合的模様が上記靴本体上に形成される請求項１に記載の通気性防水靴の製造方法。
【請求項３】
上記型をゴム物質に浸漬する工程において、上記ゴム物質がポリウレタン、天然ゴム、ニトリルブタジエンゴム、ネオプレン、ポリビニルアルコール、バイトン又はポリ塩化ビニルを含む請求項２に記載の通気性防水靴の製造方法。
【発明の詳細な説明】
【技術分野】
【０００１】
本発明は、靴の製造方法に関し、より具体的には通気性防水靴の製造方法に関する。
【背景技術】
【０００２】
図３に示すように、従来の通気性防水靴の製造方法は以下の工程を含む。
【０００３】
つま革部を調製し（Ｐ１）、ミッドソールを調製し（Ｐ２）、カバーを調製し（Ｐ３）、接着剤層を調製し（Ｐ４）、アウトソールを調製する（Ｐ５）。
【０００４】
調製したミッドソールをつま革部に挿入する（Ｐ６）。次に、調製したカバーをミッドソールの周囲に装着し、つま革部に挿入する（Ｐ７）。調製した接着剤層をカバーの底に接着する（Ｐ８）。最後に、調製したアウトソールを接着剤層の底に接着し（Ｐ９）、通気性防水靴が製造される。
【０００５】
図４に示すように、上記の製造方法から作製される従来の通気性防水靴はつま革部５０、ミッドソール６０、カバー７０、接着剤層８０及びアウトソール９０を備える。つま革部５０は縫製によって製造される。ミッドソール６０はカバー７０の中に装着される。カバー７０はつま革部５０に装着される。接着剤層８０は、カバー７０の底とアウトソール９０との間に接着される。カバー７０は通気性かつ防水性であり、これにより当該通気性防水靴に防水性及び通気性効果をもたらす。
【０００６】
しかしながら、従来の通気性防水靴の構造及び製造方法は複雑であり、そのため製造原価が高い。さらに、つま革部５０は縫製によって製造されるため、つま革部５０には多数の縫い穴が存在する。それゆえ、つま革部５０の縫い穴から水が従来の靴の中へと入る可能性が依然として存在する。
【発明の概要】
【発明が解決しようとする課題】
【０００７】
本発明は、上述の課題を解決する通気性防水靴の製造方法を提供することを主な目的とする。
【課題を解決するための手段】
【０００８】
当該通気性防水靴の製造方法は、
１）型を調製する工程と、
２）上記型をゴム物質に浸漬する工程、すなわち上記型を上記ゴム物質に浸漬し、これによりこのゴム物質を型の表面に密着させることができる工程と、
３）上記ゴム物質を乾燥する工程、すなわち上記型の表面に密着しているゴム物質を乾燥し、上記型の表面上で薄くかつ一体成形された靴本体へと成形する工程と、
４）内層を合体する工程、すなわち上記内層を上記靴本体と合体する工程と、
５）上記靴本体を裏返して剥がす工程、すなわち、上記内層が上記靴の内部に存在して上記靴本体が上記靴の外側部分を形成するように上記内層及び靴本体を裏返し、同時に上記型から剥がす工程と、
６）ソールを合体する工程、すなわちソールを上記靴本体の底と合体する工程と
を含む。
【０００９】
本発明の他の目的、利点及び新規な特徴は、添付の図面と合わせて考察すれば以下の詳細な説明からより明らかになるであろう。
【図面の簡単な説明】
【００１０】
【図１】本発明に係る通気性防水靴の製造過程の好ましい実施形態である。
【図２】図１の方法によって製造される通気性防水靴の一部断面を含む分解斜視図である。
【図３】先行技術に係る従来の通気性防水靴の製造過程である。
【図４】図３の方法によって製造される従来の通気性防水靴の分解斜視図である。
【発明を実施するための形態】
【００１１】
図１に示すように、本発明に係る通気性防水靴の製造方法の好ましい実施形態は以下の工程を含む。
【００１２】
型を調製する（Ｓ１）。この型はソール（靴底ともいう）の形状を含んで成形され、型のサイズは使用者の足のサイズに応じて定められる。型の表面は平滑であってもよいしマット仕上げされていてもよく、又は模様を有していてもよい。
【００１３】
この型をゴム物質に浸漬し（Ｓ２）、これによりこのゴム物質を型の表面に密着させることができる。このゴム物質はＰＵ（ポリウレタン）、ＮＲ（天然ゴム）、ＮＢＲ（ニトリルブタジエンゴム）、ネオプレン、ＰＶＡ（ポリビニルアルコール）、バイトン又はＰＶＣ（ポリ塩化ビニル）であってもよく、またこれらを含んでいてもよい。
【００１４】
ＰＵ、ＮＲ、ＮＢＲ、ネオプレン、ＰＶＡ、バイトン、及びＰＶＣはすべて通気性かつ防水性である。さらに、ＮＲには耐摩耗性、耐酸性及び耐アルカリ性がある。ＮＢＲには耐摩耗性及び耐切断性がある。ネオプレンには耐候性及び耐海水性がある。ＰＶＡには耐摩耗性、耐切断性及び耐有機溶剤性がある。バイトンには耐酸性、耐アルカリ性及び耐薬品性がある。ＰＶＣには容易に染色又は印刷することができ、かつＰＶＣは安価である。
【００１５】
型の表面に密着しているゴム物質を乾燥し（Ｓ３）、これによりこのゴム物質を型の表面上で薄くかつ一体成形された靴本体へと成形することができる。この靴本体は型の表面と一致する構造を有する。型の表面が平滑である場合、靴本体の構造も平滑である。型の表面がマット仕上げされていている場合、靴本体の構造もマット仕上げされる。型の表面に模様が存在する場合、靴本体の構造も一致する模様を有する。
【００１６】
内層を上記靴本体と合体する（Ｓ４）。
【００１７】
上記内層が本発明に係る靴の内部に存在して上記靴本体が本発明に係る靴の外側部分を形成するように内層及び靴本体を裏返し、同時に型から剥がす（Ｓ５）。
【００１８】
ソールを上記靴本体の底と合体し（Ｓ６）、本発明に係る通気性防水靴を形成する。
【００１９】
図２に示すように、上記の本発明に係る製造方法から作製される通気性防水靴は靴本体１０、内層２０及びソール３０を備える。
【００２０】
靴本体１０は一体成形されており、外部表面及び内部表面を備える。靴本体１０の外部表面は平滑であってもよいしマット仕上げされていてもよく、又は模様を有していてもよい。
【００２１】
靴本体１０はＰＵ、ＮＲ、ＮＢＲ、ネオプレン、ＰＶＡ、バイトン、又はＰＶＣであってもよく、またこれらを含んでいてもよい。靴本体１０は、使用者の様々な要求に応じて様々な物質で製造することができる。
【００２２】
内層２０は靴本体１０の内部表面に不織的に合体される。内層２０は靴本体１０に吹き付けて合体されてもよいし又は靴本体１０に接着されてもよい。内層２０は、吸湿効果、温感効果及び緩衝効果をもたらすために、柔らかい織布又は不織布であってもよい。
【００２３】
ソール３０は加熱プレスにより靴本体１０の底と合体されてもよいし又は靴本体１０の底に接着されてもよい。ソール３０は耐摩耗性、衝撃吸収性かつ消音性である。ソール３０は、底上げ効果及び審美的効果をさらに提供してもよい。
【００２４】
上記の説明から、本発明に係る靴は以下の利点を有することがわかる。上記の通気性防水靴の構造及び製造方法は簡単であり、このため靴の製造原価を効果的に低減することができる。靴本体１０は一体成形されており、このため靴の製造時間が短縮される。内層２０は靴本体１０と不織的に合体され、これにより防水効果がもたらされる。
【００２５】
本発明の構造及び機能の詳細とともに本発明の多くの特徴及び利点を上記の説明の中で示してきたが、本開示は例示にすぎない。添付の特許請求の範囲を表現する用語の広い一般的な意味が示す全範囲に及ぶ本発明の技術思想の範囲内で、細部において、とりわけ各部の形状、サイズ及び配置に関して変更が加えられてもよい。
【図１】
2014136160.tif 000003
【図２】
2014136160.tif 000004
【図３】
2014136160.tif 000005
【図４】
2014136160.tif 000006